(57)【要約】      （修正有）【課題】装着されるレンズ鏡筒の小型化が可能なカメラを提供する。【解決手段】レンズ鏡筒２０が着脱可能であって、被写体光を受光して被写体像を撮像する撮像部４０と、前記撮像部４０よりも前記レンズ鏡筒２０側に配置されるとともに、前記被写体光の光軸に対して略垂直な平面を備え、且つ前記撮像部４０に受光される被写体光を透過する透光カバーと、前記透光カバーを、前記被写体光の光軸方向における前記被写体側での外界との仕切り面として、前記撮像部４０を収納する密閉空間３５を形成する筐体３１と、前記レンズ鏡筒２０に設けられたレンズ側投受光部８１との間で、光伝送用の光の投受光を行うカメラ側投受光部７２と、を備え、前記透光カバーの前記平面に平行な面内の一部が、前記レンズ側投受光部８１と前記カメラ側投受光部７２との間の光伝送用の伝送光路７１Ａとして用いられる。【選択図】図１
2011039179.tif 000002
【特許請求の範囲】
【請求項１】
レンズ鏡筒が着脱可能なカメラであって、
被写体光を受光して被写体像を撮像する撮像部と、
前記撮像部よりも前記レンズ鏡筒側に配置されるとともに、前記被写体光の光軸に対して略垂直な平面を備え、且つ前記撮像部に受光される被写体光を透過する透光カバーと、
前記透光カバーを、前記被写体光の光軸方向における前記被写体側での外界との仕切り面として、前記撮像部を収納する密閉空間を形成する筐体と、
前記レンズ鏡筒に設けられたレンズ側投受光部との間で、光伝送用の光の投受光を行うカメラ側投受光部と、を備え、
前記透光カバーの前記平面に平行な面内の一部が、前記レンズ側投受光部と前記カメラ側投受光部との間の光伝送用の伝送光路として用いられること、
を特徴とするカメラ。
【請求項２】
請求項１に記載のカメラであって、
前記透光カバーにおける被写体光の非透過領域を、前記伝送光路として用いること、
を特徴とするカメラ。
【請求項３】
請求項２に記載のカメラであって、
前記透光カバーの平面形状は矩形であって、
前記伝送光路は、該矩形の透光カバーの側辺に沿って形成されていること、
を特徴とするカメラ。
【請求項４】
請求項１〜３のいずれか１項に記載のカメラであって、
前記伝送光路は、前記透投光カバー内に複数形成されていること、
を特徴とするカメラ。
【請求項５】
請求項４に記載のカメラであって、
前記複数の伝送光路は、光の伝送方向によって互いに異なる伝送光路が使用されること、
を特徴とするカメラ。
【請求項６】
請求項４に記載のカメラであって、
前記複数の伝送光路は、伝送される光のデータ量によって互いに異なる伝送光路が使用されること、
を特徴とするカメラ。
【請求項７】
請求項４に記載のカメラであって、
前記複数の伝送光路のうちの一方の伝送光路を、情報伝送用の伝送光路として使用し、該一方の伝送光路とは異なる他方の伝送光路を、前記カメラ側から前記レンズ鏡筒側への電力供給用の伝送光路として使用すること
を特徴とするカメラ。
【発明の詳細な説明】
【技術分野】
【０００１】
本発明は、レンズ交換式のカメラに関するものである。
【背景技術】
【０００２】
従来、レンズ交換式のデジタルカメラは、一般に撮影レンズ着脱の際にカメラ本体の内部空間が外部に晒される構造を有している。このため、外部からカメラ本体の内部空間に侵入する塵埃が、撮像部に付着するという問題が生じる。この塵埃付着を防止するため、撮影者側の撮像素子と被写体側のマウント近傍に配置された透光カバーとを壁部として含む筐体で密閉空間を形成し、カメラ本体外部から進入する塵埃の撮像部への付着を防止するようにしたものがある（例えば、特許文献１参照）。
【先行技術文献】
【特許文献】
【０００３】
【特許文献１】特開２０００−２４１８６９号公報
【発明の概要】
【発明が解決しようとする課題】
【０００４】
しかし、上述のようなカメラにおいて、密閉空間を小さく形成すると、被写体光が空間壁部の内面に反射して撮像に悪影響を与える可能性があるため、密閉空間の小型化には限界がある。また、レンズ交換式のカメラは、レンズ側とカメラ側との間の通信を行うため、それぞれ接点が設けられているが、上述のようなカメラのカメラ側の接点は、透光カバーの外側に配置される。そして、レンズ鏡筒の接点は、カメラ側の接点の位置に合わせて配置されるため、密閉空間が形成されるカメラに接続されるレンズ鏡筒の小型化にも限界があった。
【０００５】
本発明の課題は、装着されるレンズ鏡筒の小型化が可能なカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、レンズ鏡筒（２０）が着脱可能なカメラ（１）であって、被写体光を受光して被写体像を撮像する撮像部（４０）と、前記撮像部（４０）よりも前記レンズ鏡筒（２０）側に配置されるとともに、前記被写体光の光軸に対して略垂直な平面を備え、且つ前記撮像部（４０）に受光される被写体光を透過する透光カバー（３２）と、前記透光カバー（３２）を、前記被写体光の光軸方向における前記被写体側での外界との仕切り面として、前記撮像部（４０）を収納する密閉空間（３５）を形成する筐体（３１）と、前記レンズ鏡筒（２０）に設けられたレンズ側投受光部（８１）との間で、光伝送用の光の投受光を行うカメラ側投受光部（７２）と、を備え、前記透光カバー（３２）の前記平面に平行な面内の一部が、前記レンズ側投受光部（８１）と前記カメラ側投受光部（７２）との間の光伝送用の伝送光路（７１Ａ）として用いられること、を特徴とするカメラ（１）である。
請求項２に記載の発明は、請求項１に記載のカメラ（１）であって、前記透光カバー（３２）における被写体光の非透過領域を、前記伝送光路（７１Ａ）として用いること、を特徴とするカメラ（１）である。
請求項３に記載の発明は、請求項２に記載のカメラ（１）であって、前記透光カバー（３２）の平面形状は矩形であって、前記伝送光路（７１Ａ）は、該矩形の透光カバー（３２）の側辺に沿って形成されていること、を特徴とするカメラ（１）である。
請求項４に記載の発明は、請求項１〜３のいずれか１項に記載のカメラ（１）であって、前記伝送光路（７１Ａ）は、前記透投光カバー内に複数形成されていること、を特徴とするカメラ（１）である。
請求項５に記載の発明は、請求項４に記載のカメラ（１）であって、前記複数の伝送光路（７１Ａ）は、光の伝送方向によって互いに異なる伝送光路（７１Ａ）が使用されること、を特徴とするカメラ（１）である。
請求項６に記載の発明は、請求項４に記載のカメラ（１）であって、前記複数の伝送光路（７１Ａ）は、伝送される光のデータ量によって互いに異なる伝送光路（７１Ａ）が使用されること、を特徴とするカメラ（１）である。
請求項７に記載の発明は、請求項４に記載のカメラ（１）であって、前記複数の伝送光路（７１Ａ）のうちの一方の伝送光路（７１Ａ）を、情報伝送用の伝送光路（７１Ａ）として使用し、該一方の伝送光路（７１Ａ）とは異なる他方の伝送光路（７１Ａ）を、前記カメラ（１）側から前記レンズ鏡筒（２０）側への電力供給用の伝送光路（７１Ａ）として使用すること、を特徴とするカメラ（１）である。
なお、符号を付して説明した構成は、適宜改良してもよく、また、少なくとも一部を他の構成物に代替してもよい。
【発明の効果】
【０００８】
本発明によれば、装着されるレンズ鏡筒の小型化が可能なカメラを提供することができる。
【図面の簡単な説明】
【０００９】
【図１】本発明の第１実施形態におけるレンズ鏡筒を装着した状態のカメラの縦断面図である。
【図２】透光カバーを示し、（ａ）は正面図，（ｂ）は側面図である。
【図３】カメラ側送受信部を説明する透光カバーにおける側端部位を示す概念斜視図である。
【図４】本発明の第３実施例における情報交換構造を概念的に示す図である。
【図５】本発明の第３実施例における他の情報交換構造を概念的に示す図である。
【図６】カメラ側送受信部の導光部における反射部の他の構成例を示す図である。
【発明を実施するための形態】
【００１０】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向、正位置において上側に向かう方向をＹプラス方向、正位置において被写体に向かう方向をＺプラス方向とする。また、Ｚ軸プラス方向を前面側、Ｚ軸マイナス方向を背面側ともいう。
【００１１】
（第１実施形態）
図１は、本発明の第１実施形態におけるレンズ鏡筒２０を装着した状態のカメラ１の縦断面図である。
カメラ１は、レンズ交換式のカメラであって、カメラ本体１０とレンズ鏡筒２０とにより構成されている。
レンズ鏡筒２０は、内部に結像光学系を構成する撮影レンズ２１（簡略化して一枚のレンズとして示している）を備えている。また、レンズ鏡筒２０は、その図中背面側の端部に、レンズ側マウント部２０Ｍを備えている。
【００１２】
カメラ本体１０は、当該カメラ本体１０の外装を形成するカメラ筐体１１と、撮像ボックス３０と、カメラ側マウント部１０Ｍとを備えている。また、カメラ本体１０は、カメラ筐体１１の上面側（Ｙプラス側）に配設された電子ビューファインダー５０と、カメラ筐体１１の背面側（Ｚマイナス側）に設けられた液晶パネルからなる表示装置６０と、を備えている。
【００１３】
カメラ側マウント部１０Ｍは、カメラ筐体１１の前面側（Ｚプラス側）の略中央部に設けられている。カメラ側マウント部１０Ｍの中央には、所定径の開口部１２が形成されている。
カメラ側マウント部１０Ｍには、レンズ側マウント部２０Ｍが着脱可能に結合し、これによってレンズ鏡筒２０がカメラ本体１０に光軸ＯＡを一致させた状態で装着される。つまり、カメラ本体１０に対してレンズ鏡筒２０が着脱可能となっており、撮影対象に応じて焦点距離や機能などの異なる種種のレンズ鏡筒を交換して用いることができる。
【００１４】
カメラ側マウント部１０Ｍとレンズ側マウント部２０Ｍは、それぞれマウント面１０Ｍａ，２０Ｍａと爪１０Ｍｂ，２０Ｍｂとを備え、いわゆるバネットマウントを構成している。カメラ側マウント部１０Ｍとレンズ側マウント部２０Ｍは、マウント面１０Ｍａ，２０Ｍａを当接させ、その状態から両者を所定角度相対回転させることで、爪１０Ｍｂ，２０Ｍｂが光軸ＯＡ方向に係合するようになっている。
【００１５】
ここで、カメラ１は、レンズ鏡筒２０とカメラ本体１０との間では、その結合部（レンズ側マウント部２０Ｍとカメラ側マウント部１０Ｍとによる結合部）を介して情報交換を行うように構成されている。この情報伝達構造に関しては、後に詳述する。
【００１６】
撮像ボックス３０は、カメラ側マウント部１０Ｍの背面側に固定されている。
撮像ボックス３０は、ボックス本体３１と、ボックス本体３１の前面側に配設された透光カバー３２と、ボックス本体３１の背面側に配設されたセンサユニット４０とを備えている。
【００１７】
ボックス本体３１は、断面形状が矩形で所定長さの筒状を呈している。ボックス本体３１の断面形状は、カメラ側マウント部１０Ｍの開口部１２より大きく設定されている。
透光カバー３２は、所定厚さのガラスまたは樹脂などの透明材料によって、ボックス本体３１の断面形状と対応する矩形に形成されている。透光カバー３２は、ボックス本体３１の前端と、カメラ側マウント部１０Ｍの背面との間に配置されている。透光カバー３２は、ボックス本体３１の前端側の開口部を、気密的に閉塞している。
【００１８】
センサユニット４０は、撮像素子４１と、パッケージ４２と、カバーガラス４３と、ローパスフィルタ４４と、電子実装基板４５と、支持基板４６とが組み立てられて構成されている。
撮像素子４１は、被写体光を電気信号に変換するＣＣＤ等の光電変換素子である。
パッケージ４２は、撮像素子４１を収容して保持する部材である。
カバーガラス４３は、パッケージ４２の前面側に撮像素子４１を覆って設けられている。
【００１９】
ローパスフィルタ４４は、パッケージ４２の前面側に配置されており、撮像素子４１の受光面に結像する被写体像にモアレが発生することを抑制する。
電子実装基板４５は、パッケージ４２の背面側の周囲に設けられており、パッケージ４２と外部との電気的な接続を担っている。
【００２０】
支持基板４６は、当該センサユニット４０の基部であって、パッケージ４２を介して当該センサユニット４０の各構成要素を支持している。支持基板４６は、所定厚さの金属または樹脂板によって、ボックス本体３１の断面形状と対応する矩形に形成されている。支持基板４６は、ボックス本体３１の背面側の端面にネジ３９により、気密的に固定されている。これにより、撮像素子４１がボックス本体３１（すなわち撮像ボックス３０）に装着されている。
【００２１】
上記構成の撮像ボックス３０は、ボックス本体３１における前面側は透光カバー３２によって気密的に閉塞され、ボックス本体３１における背面側はセンサユニット４０（支持基板４６）によって気密的に閉塞され、透光カバー３２とセンサユニット４０との間に気密空間３５が形成されている。
これにより、撮像ボックス３０の内部への外部からの塵埃等の侵入を防ぐことができ、塵埃等がセンサユニット４０に付着して撮像に写り込む等の不具合を回避できる。
【００２２】
電子ビューファインダー５０は、撮像照射モジュール５１と、接眼光学系５２とを備えている。電子ビューファインダー５０は、撮像素子４１によって撮像されたスルー画像を撮像照射モジュール５１に表示する。撮影者は、撮像照射モジュール５１に表示された画像を、接眼光学系５２を介して視認することができる。これにより、クイックリターンミラーを備えない構成であっても、いわゆる一眼レフのように撮像素子４１による撮像をリアルタイムで見ることができる。
【００２３】
表示装置６０は、撮像素子４１によって撮像したスルー画像を表示する液晶パネルを有している。これにより、撮影者は、液晶パネルを介して撮像素子４１による撮像を見つつ、電子ビューファインダー５０を覗くことなく撮影することも可能となっている。また、表示装置６０は、カメラ１における各種機能の設定を行うための機能設定メニューや、シャッター速度、絞り及び露光補正情報などの使用者が操作部を介して入力した撮影に関する設定情報や測光情報などを表示する。さらに、撮影画像やそのヒストグラム及び撮影情報などを表示する。
【００２４】
上記構成のカメラ１は、レンズ鏡筒２０の光学系（撮影レンズ２１）を介して撮像ボックス３０における撮像素子４１に結像された被写体像は撮像素子４１によって電気信号に変換される。撮像素子４１によって光電変換された撮像データは、当該カメラ１が備える図示しない制御部によって画像データとして信号処理される。信号処理された画像データは電子ビューファインダー５０及び表示装置６０に送られ、また、撮影時には、図示しない記録装置に記録される。
【００２５】
なお、本実施形態のカメラ１は、機械式のシャッター装置を備えていない。撮影時における撮像素子４１に対する被写体光の露光時間（撮像素子４１が被写体光を蓄積する時間）の調整は、制御部が撮像素子４１を電気的に制御（電子シャッタ制御）して行う。また、露出制御は、制御部が撮像素子４１の出力に基づいて被写体光の輝度を測定（測光）し、この測光結果に基づいて自動露出制御（ＡＥ制御）する。このため、撮像素子４１は、測光センサとしての機能も兼ねている。
【００２６】
つぎに、前述した図１に加えて図２および図３を参照し、本実施形態における特徴部分である、情報交換構造について説明する。
図２は、透光カバー３２を示し、（ａ）は正面図，（ｂ）は側面図である。図３は、カメラ側送受信部７０を説明する透光カバー３２における側端部位を示す概念斜視図である。
【００２７】
カメラ１は、前述したように、レンズ鏡筒２０とカメラ本体１０とがその結合部（レンズ側マウント部２０Ｍとカメラ側マウント部１０Ｍとによる結合部）を介して情報交換を行うようになっている。レンズ鏡筒２０からカメラ本体１０へは、焦点距離やＦ値等の当該レンズ鏡筒２０の固有情報および、その時点における状態情報（ズームレンズの場合における焦点距離や合焦レンズの位置等）を送信する。一方、カメラ本体１０からレンズ鏡筒２０へは、合焦制御時における合焦レンズの駆動情報や、撮影時における絞り値等の制御情報を送信する。
【００２８】
情報交換構造は、カメラ本体１０に設けられたカメラ側送受信部７０と、レンズ鏡筒２０に設けられたレンズ側送受信部８０と、により構成されている。
カメラ側送受信部７０は、撮像ボックス３０における透光カバー３２に構成された伝送光路７１Ａと、反射部７１Ｍと、カメラ側投受光部７２と、により構成されている。
【００２９】
図２に示すように、透光カバー３２は、撮像ボックス３０におけるボックス本体３１と対応する矩形の板状である。透光カバー３２の一方の縦辺（Ｙ軸方向に延びる辺）の下端部に、反射部７１Ｍが形成されている。すなわち、反射部７１Ｍは、透光カバー３２の一方側辺と下辺との角部に設けられている。
反射部７１Ｍの位置は、レンズ鏡筒２０（撮影レンズ２１）から撮像素子４１に至る被写体像光が透過しない部位であって、レンズ鏡筒２０がカメラ本体１０に装着された状態において後述するレンズ側送受信部８０と対向する位置に設定されている。
【００３０】
反射部７１Ｍは、透光カバー３２の角部の背面側が、当該透光カバー３２の底面に対して４５°の角度でカットされて形成されている。反射部７１Ｍは、前面側から透光カバー３２の板面に対して直角に入射した光を、反射させてその方向を図中上向きに９０°屈曲させる。これにより、反射部７１Ｍに入射した光は、透光カバー３２の内部を透光カバー３２の縦辺に沿って進み、透光カバー３２の上側の端面から出射する。この光が通過する透光カバー３２の一方の縦辺に沿った部分が、伝送光路７１Ａである。なお、反射部７１Ｍには、反射被膜をコーティングして反射率を高めても良い。
【００３１】
図１に示すように、反射部７１Ｍの前面側を含む透光カバー３２の前面側の周囲は、カメラ側マウント部１０Ｍの縁取りによって覆われている。このカメラ側マウント部１０Ｍの縁取りの反射部７１Ｍと対応する位置には、軸方向透光孔１０Ｍｃが開口形成されている。これにより、軸方向透光孔１０Ｍｃを介して前面側から反射部７１Ｍに入射可能となっている。
また、伝送光路７１Ａは、透光カバー３２の、レンズ鏡筒２０（撮影レンズ２１）から撮像素子４１に至る被写体像光が透過しない部位（被写体像光透過領域を図２中に二点鎖線で示す）に設定されている。
【００３２】
カメラ側投受光部７２は、詳細は図示しないが、半導体レーザと受光素子とを備えて構成されている。
図３に示すように、カメラ側投受光部７２は、透光カバー３２における伝送光路７１Ａの上側の端面と対向する位置に配設されている。図１に示すように、透光カバー３２の周囲は、カメラ側マウント部１０Ｍによって覆われている。カメラ側投受光部７２は、この透光カバー３２の周囲を覆うカメラ側マウント部１０Ｍの外側に装着されている。カメラ側マウント部１０Ｍにおけるカメラ側投受光部７２と対応する部位には、径方向透光孔１０Ｍｄが貫通形成されている。
【００３３】
カメラ側投受光部７２は、カメラ本体１０が備える当該カメラ本体１０を統括制御する図示しない制御装置と接続されている。そして、カメラ側投受光部７２は、半導体レーザを含み、制御装置から送られる情報を含む電気信号に応じて半導体レーザが発振し、それらの情報を含むレーザ光が出射される。本実施形態において電力供給も、光により行われ、カメラ本体１０に設けられた図示しない電力供給部から供給された電力は、カメラ側投受光部７２の半導体レーザにより光パワーに変換される。また、カメラ側投受光部７２は受光素子も含み、受光素子は情報を含む光を受光して電気信号に変換して制御装置に入力する。なお、カメラ側投受光部７２における半導体レーザは、センサユニット４０における撮像素子４１が感知する波長域に含まれない波長のレーザ光を出射するものを用いる。
【００３４】
レンズ側送受信部８０は、レンズ側投受光部８１を備えている。
レンズ側投受光部８１は、前述したカメラ側投受光部７２と同様に、図示しない半導体レーザと受光素子とを備えて構成されている。さらに、カメラ側投受光部７２の半導体レーザより送られる光パワーを電力に変換する太陽電池も含む。
レンズ側投受光部８１は、レンズ側マウント部２０Ｍにおける爪２０Ｍｂの内周側に配設されている。レンズ側投受光部８１の配設位置は、レンズ鏡筒２０がカメラ本体１０に装着された状態において、カメラ側マウント部１０Ｍにおける軸方向透光孔１０Ｍｃを介して反射部７１Ｍと対向するように設定されている。
【００３５】
レンズ側投受光部８１は、レンズ鏡筒２０が備える当該レンズ鏡筒２０を制御する図示しないレンズ制御部と接続されている。そして、レンズ側投受光部８１は、レンズ制御部から送られる情報を含む電気信号によって半導体レーザが発振して情報を含むレーザ光を出射し、受光素子は情報を含む光を受光して電気信号に変換してレンズ制御部に入力する。
【００３６】
上記のように構成された情報交換構造では、カメラ本体１０とレンズ鏡筒２０との間における情報交換は、撮像ボックス３０における透光カバー３２の伝送光路７１Ａを介して光によって相互に行われる。すなわち、カメラ本体１０からレンズ鏡筒２０への情報伝達及び光パワーの伝送は、カメラ側送受信部７０におけるカメラ側投受光部７２から出射した情報を持つレーザ光が、透光カバー３２の伝送光路７１Ａおよび反射部７１Ｍを介してレンズ側送受信部８０におけるレンズ側投受光部８１に受光されることで行われる。一方、レンズ鏡筒２０からカメラ本体１０への情報伝達は、レンズ側送受信部８０におけるレンズ側投受光部８１から出射した情報を持つレーザ光が、透光カバー３２の反射部７１Ｍおよび伝送光路７１Ａを介してカメラ側送受信部７０におけるカメラ側投受光部７２に受光されることで行われる。
【００３７】
このような情報交換構造によれば、撮像ボックス３０における透光カバー３２を伝送体として利用して情報交換を光通信によって行う。このため、撮像ボックス３０の外周側に情報交換を行うための電気接点およびその配線類を配置する必要がなく、レンズ鏡筒２０を小型化することが可能となる。
【００３８】
また、電気的な接点によって情報交換を行う構成の場合では、撮像ボックス３０の外周側に接点およびその配線類を配置する必要から、カメラ全体を小さくするとボックス本体３１の径方向の大きさ（光軸ＯＡからボックス本体３１の内壁面までの距離）が小さくなる。その結果、ボックス本体３１の内壁面による反射（内面反射）が、撮像素子４１による撮像に悪影響を与える虞がある。これに対して本構成では、撮像ボックス３０の外周側に接点等を設ける必要がないため、カメラ全体を小型化してもボックス本体３１は比較的大きく保つことができ、内面反射による撮像への影響を抑えることができる。
【００３９】
また、被写体光は透光カバー３２の中央部を透過し、この透光カバー３２の周囲のデッドスペースを情報交換に利用するため、合理的な空間活用が可能となる。
【００４０】
（第２実施形態）
つぎに、図４および図５を参照して本発明の第２実施形態について説明する。
図４および図５は、本発明の第２実施形態における情報交換構造を概念的に示す図である。詳細な説明は省略するが、図示情報交換構造は、前述した第１実施形態と同様のカメラに構成される。
【００４１】
図４（ａ）に示す情報交換構造では、透光カバー３２の左右両側の縦辺（Ｙ軸方向に延びる辺）に、カメラ側送受信部７０における伝送光路７１Ａが形成されている。すなわち、透光カバー３２の一方の縦辺の下角部と、他方の縦辺の上角部にそれぞれに反射部７１Ｍが形成され、左右両側の縦辺に沿ってそれぞれ透光路７１Ａが形成されている。
【００４２】
カメラ側送受信部７０におけるカメラ側投受光部７２は、両伝送光路７１Ａの出射側にそれぞれ設けられている。
レンズ側送受信部８０におけるレンズ側投受光部８１は、両反射部７１Ｍにそれぞれ対向して配設されている。
このような構成によれば、単位時間あたりの情報交換量を増加させることができ、高速撮影に対応することができる。
【００４３】
カメラ側送受信部７０における２つの伝送光路７１Ａは、伝達情報の特性に応じて使い分ける。
たとえば、情報伝達速度が異なる高速ルートと低速ルートとに分別し、伝達情報に求められる速度によって使い分ける。高速ルートと低速ルートとでは、カメラ側投受光部７２における半導体レーザに波長を異なるものとし、たとえば、低速ルートでは赤外線レーザを用い、高速ルートでは単位時間により多くの情報伝達が可能な紫外線等の波長の短いレーザを用いる。
また、情報の種類（信号の内容）によって、２つの伝送光路７１Ａを使い分けるように構成しても良い。
いずれにしても、伝送光路７１Ａが一つの場合に比較して、多くの情報伝達が可能となる。
【００４４】
図４（ｂ）に示す情報交換構造は、カメラ側送受信部７０における２つの伝送光路７１のそれぞれの情報伝達方向を一方に限定した。
図４（ｂ）に示す情報交換構造では、図中右側の伝送光路７１Ａの上部にはカメラ本体が備えるカメラ側投光部７２ａが配設されると共に、伝送光路７１Ａにおける反射部７１Ｍにレンズ鏡筒が備えるレンズ側受光部８１ｂが対向するように構成されている。また、図中左側の伝送光路７１Ａおける反射部７１Ｍにレンズ鏡筒が備えるレンズ側投光部８１ａが対向し、伝送光路７１Ａの下部にはカメラ本体が備えるカメラ側受光部７２ｂが配設されている。
この構成では、カメラ本体からレンズ鏡筒２０への情報伝達は図中右側の伝送光路７１Ａを介して行われ、レンズ鏡筒からカメラ本体１０への情報伝達は図中左側の伝送光路７１Ａを介して行われる。
【００４５】
さらに、図５に示す情報交換構造は、透光カバー３２の左右両側の縦辺にそれぞれ伝送光路７１Ａが形成されており、その一方（図中左側）の伝送光路７１Ａを情報伝達に用い、他方の伝送光路７１Ａをカメラ本体からレンズ鏡筒への電源電力の供給に用いる。
【００４６】
伝送光路７１Ａの上部にはカメラ本体が備える電源投光部９１が配設されると共に、伝送光路７１あにおける反射部７１Ｍにレンズ本体が備える電源受光部９２が対向するように構成されている。電源投光部９１は、高エネルギーのレーザを発振するレーザ素子によって構成される。レーザ素子は、カメラ本体が備える電源と接続され、その駆動は制御部によって制御される。電源受光部９２は、光電変換素子によって構成される。光電変換素子は、レンズ鏡筒が備えるたとえば合焦レンズを移動駆動するモータ等に電力を供給可能に接続されている。
【００４７】
また、図中左側の伝送光路７１Ａの下部にはカメラ本体が備えるカメラ側投受光部７２が配設されてカメラ側送受信部７０が構成されている。伝送光路７１Ａおける反射部７１Ｍに、レンズ鏡筒が備えるレンズ側投受光部８１が対向して配設されている。
この構成では、伝送光路７１Ａを介してカメラ本体からレンズ鏡筒に電源電力を供給することができる。すなわち、カメラ本体が備える電源の電力が電源投光部でレーザ光に変換され、伝送光路７１Ａを介してレンズ鏡筒の電源受光部に至る。電源受光部では受光したレーザ光を電力に変換して利用する。
これにより、カメラ本体とレンズ鏡筒の結合部（マウント部）に電源電力を供給するための接点を設ける必要が無く、構成を簡略化できると共にカメラ全体の小型化にも寄与する。
【００４８】
以上、本実施形態によると、以下の効果を有する。
（１）本構成では、撮像ボックス３０における透光カバー３２を導光体として利用した光通信によって、カメラ本体１０とレンズ鏡筒２０との間における情報交換を行う。このため、撮像ボックス３０の外周側に情報交換を行うための電気接点およびその配線類を配置する必要がなく、レンズ鏡筒２０を小型化することが可能となる。
（２）撮像ボックス３０の外周側に情報交換を行うための電気接点およびその配線類を配置するスペースが不要となるため、カメラ全体を小型化してもボックス本体３１を径方向に大きく設定することが可能となる。これにより、ボックス本体３１の内面反射による撮像への影響を抑えることができる。
【００４９】
（変形形態）
以上、説明した実施形態に限定されることなく、以下に示すような種々の変形や変更が可能であり、それらも本発明の範囲内である。
（１）本実施形態では、カメラ側送受信部７０の反射部７１Ｍを、反射部７１Ｍは、透光カバー３２の一方側辺と下辺との角部に形成した。しかし、反射部７１Ｍの位置はこの例に限らず、被写体光を妨げない位置であれば何処にも設定可能である。
【００５０】
（２）本実施形態では、カメラ側送受信部７０の伝送光路７１Ａにおける反射部７１Ｍは、透光カバー３２の端縁の背面側がカットされて形成されている。しかし、反射部７１Ｍの形状はこれに限定されるものではない。たとえば、図６（ａ）に示すように、透光カバー３２の一部分を突出させ（突出部３２Ａ）、この突出部３２Ａに反射部７１Ｍを形成してもよい。
【００５１】
（３）本実施形態では、カメラ側送受信部７０の伝送光路７１Ａにおける反射部７１Ｍは、４５°の角度で形成され、前面側から透光カバー３２の板面に対して直角に入射した光を反射させてその方向を９０°屈曲させる。しかし、反射部７１Ｍの角度は、これに限るものではない。たとえば、図６（ｂ）に示すように、入射光を、透光カバー３２の板面に対して角度を有するように反射させ、光が透光カバー３２の前後面で反射を繰り返して伝送光路７１Ａを通過する構成としても良い。
【００５２】
（４）本実施形態では、透光カバー３２が矩形でその辺に沿って光を透過させるよう構成した。しかし、透光カバー３２の形状は矩形に限らず、円形や多角形であっても良い。
【００５３】
（５）本実施形態では、矩形の透光カバー３２における縦辺の１辺または対向する２辺を伝送光路７１Ａとして利用した。しかし、伝送光路７１Ａはこれに限らず何れの辺に設けても良い。また、３辺または４辺に適用しても良く、透光カバー３２を多角形とすれば、その各辺に適宜適用可能である。さらに、伝送光路７１Ａは、辺に沿わなくても、撮像素子４１が撮像する被写体像光の透過域を横切らない範囲であれば適宜設定可能である。
【００５４】
（６）透光カバー３２の伝送光路７１Ａを挟んで配置される、カメラ側送受信部７０におけるカメラ側投受光部７２と、レンズ側送受信部８０におけるレンズ側投受光部８１とは、本実施形態に限定されず、上下逆の配置としても良い。
（７）上述の実施形態において電力は、半導体レーザにより光パワーに変換され、他の情報を含む光と同様に伝送光路７１Ａを通ってレンズ側に供給される形態について説明したが、本発明はこれに限定されない。例えば、カメラが電力を無線により供給するシステムを備え、レンズが無線により伝送された電力を受け取る受給システムを備える構成であっても良い。
なお、実施形態及び変形形態は、適宜組み合わせて用いることもできるが、詳細な説明は省略する。また、本発明は以上説明した実施形態によって限定されることはない。
【符号の説明】
【００５５】
１：カメラ、１０：カメラ本体、２０：レンズ鏡筒、３２：透光カバー、３５：気密室、４１：撮像素子、７０：カメラ側送受信部、７１Ａ：伝送光路、７１Ｍ：反射部、７２：カメラ側投受光部、８０：レンズ側送受信部、８１：レンズ側投受光部、１００：カメラ、１１０：カメラ本体１１０、１２０：レンズ鏡筒、７２ａ：カメラ側投光部、７２ｂ：カメラ側受光部、８１ａ：レンズ側投光部、８１ｂ：レンズ側受光部、９１：電源投光部、９２：電源受光部
【図１】
2011039179.tif 000003
【図２】
2011039179.tif 000004
【図３】
2011039179.tif 000005
【図４】
2011039179.tif 000006
【図５】
2011039179.tif 000007
【図６】
2011039179.tif 000008